(57)【要約】    【課題】  遊技施設等において、適切な濃度の酸素状態を提供可能な酸素富化空気送風システムを提供すること。    【解決手段】  酸素富化空気送風システム１は、酸素供給装置２と、酸素供給装置２にて製造された高濃度酸素を通して送るための配管４と、配管４に接続された複数の共通仕様の送風端末装置３とを備えてなることを、基本的な構成とする。配管４は系統を複数設け、各系統に複数の送風端末装置３を接続することができる。また高濃度酸素の供給圧力増幅と酸素富化空気の酸素濃度調整のため、加圧装置を流路上に設けてもよい。【選択図】  図１
2007307101.tif 000002
【特許請求の範囲】
【請求項１】
酸素供給装置と、該酸素供給装置にて製造された高濃度酸素を搬送するための配管と、該配管に接続された複数の送風端末装置とを備えてなる、酸素富化空気送風システム。
【請求項２】
前記送風端末装置からは酸素濃度２５％以上の酸素富化空気を排出可能であるように構成されていることを特徴とする、請求項１に記載の酸素富化空気送風システム。
【請求項３】
前記配管の構成は、１系統または２系統以上の主配管を有してなり、各主配管には１台以上の前記送風端末装置が接続されていることを特徴とする、請求項１または２に記載の酸素富化空気送風システム。
【請求項４】
前記配管の構成は、４系統以上の主配管を有してなり、各主配管には３台以上の前記送風端末装置が接続されていることを特徴とする、請求項１または２に記載の酸素富化空気送風システム。
【請求項５】
前記酸素供給装置からの高濃度酸素供給は、前記各系統単位で供給切替制御可能であることを特徴とする、請求項３または４に記載の酸素富化空気送風システム。
【請求項６】
前記供給切替制御は、前記複数系統の主配管に対して順番に、高濃度酸素の供給を所定時間行う制御であることを特徴とする、請求項５に記載の酸素富化空気送風システム。
【請求項７】
前記酸素供給装置−送風端末装置間には、高濃度酸素供給圧力増幅のための加圧装置が設けられていることを特徴とする、請求項１ないし６のいずれかに記載の酸素富化空気送風システム。
【請求項８】
前記加圧装置は、前記酸素供給装置から供給される高濃度酸素に周辺空気を混合する空気混合機能を兼ね備えることを特徴とする、請求項７に記載の酸素富化空気送風システム。
【請求項９】
前記酸素供給装置から供給される高濃度酸素と、前記加圧装置により取り入れられる混合用空気との混合比を調節して前記送風端末装置において排出される酸素富化空気の酸素濃度を制御するための酸素濃度制御装置が設けられていることを特徴とする、請求項８に記載の酸素富化空気送風システム。
【請求項１０】
前記配管は、ワンタッチ式の継ぎ手を用いることによって配管構成の分岐、延長その他の配管構成変更が自在であることを特徴とする、請求項１ないし９のいずれかに記載の酸素富化空気送風システム。
【請求項１１】
前記送風端末装置は、周辺空気を取り入れるための吸気口を備え、これにより取り入れられた空気が、排出される酸素富化空気と周辺空気との間のバリア気流として排出可能であるように形成されていることを特徴とする、請求項１ないし１０のいずれかに記載の酸素富化空気送風システム。
【請求項１２】
前記送風端末装置には排気風量を調節するための風量調節手段が設けられていることを特徴とする、請求項１ないし１１のいずれかに記載の酸素富化空気送風システム。
【請求項１３】
前記送風端末装置から排出される酸素富化空気の酸素濃度または酸素富化空気が排出される空間の所定位置における酸素濃度を表示する表示部が設けられていることを特徴とする、請求項１ないし１２のいずれかに記載の酸素富化空気送風システム。
【請求項１４】
前記送風端末装置は、本システム利用空間の所望の位置において設置位置変更可能なサイズおよびその他の仕様にて形成されていることを特徴とする、請求項１ないし１３のいずれかに記載の酸素富化空気送風システム。
【請求項１５】
前記送風端末装置を本システム利用空間の所望の位置に移動、設置可能なように、該送風端末装置が直接接続される端末配管は可撓性であることを特徴とする、請求項１４に記載の酸素富化空気送風システム。
【請求項１６】
前記端末配管と前記送風端末装置とは一体にもしくは一体化可能に形成され、該端末配管は必要な場合に、高濃度酸素供給上流側の前記配管に接続可能な構成であることを特徴とする、請求項１４または１５に記載の酸素富化空気送風システム。
【請求項１７】
前記端末配管が直接接続される高濃度酸素供給上流側の前記配管端部にはワンタッチ式の継ぎ手が設けられ、該継ぎ手は、該端末配管の差込み時以外は閉止することのできるストップ弁内蔵型のものであることを特徴とする、請求項１６に記載の酸素富化空気送風システム。
【請求項１８】
前記送風端末装置は、遊技場にてパチンコ台の島に後付けした場合においてパチンコ台利用者の頭部方向に対して送風可能なように形成されていることを特徴とする、請求項１ないし１７のいずれかに記載の酸素富化空気送風システム。
【請求項１９】
前記送風端末装置は、遊技場において２台のパチンコ台間に嵌め込んで設置可能なようにその筐体が巾５０ｍｍ以下に形成されていることを特徴とする、請求項１ないし１７のいずれかに記載の酸素富化空気送風システム。
【請求項２０】
前記送風端末装置は、遊技場において２台のパチンコ台の前面パネル間に後付け設置可能かつ遊技の障害とならない程度のサイズにて形成されていることを特徴とする、請求項１ないし１７のいずれかに記載の酸素富化空気送風システム。
【請求項２１】
酸素供給装置にて製造された高濃度酸素を、配管を介してこれに接続された複数の送風端末装置に供給する方法であって、１系統当たり該送風端末装置が１台以上接続されている複数系統の主配管に対して順番に、高濃度酸素の供給を所定時間行うように制御することを特徴とする、酸素富化空気供給方法。
【発明の詳細な説明】
【技術分野】
【０００１】
本発明は酸素富化空気送風システムおよび酸素富化空気供給方法に係り、特に、遊技施設その他多数の人が集合、存在することによって酸素濃度の低下しがちな空間において、適切な濃度の酸素状態を提供することのできる、酸素富化空気送風システムおよび酸素富化空気供給方法に関する。
【背景技術】
【０００２】
近年、パチンコ店等の遊技施設の空気環境は、空気清浄機や換気装置など各種空調設備の積極的導入により改善が進んでおり、パチンコ店を例に挙げれば、店舗全体はもとより最近では各遊技台ごと、すなわち各個人空間ごとに空気清浄機や脱臭機を設置して、個人ごとに区別された空間いわばパーソナル空間の空気浄化を図っている例もある。
【０００３】
また、下記検索条件にて検索される先行技術としては、遊技場内の空気環境改善を目的とする、遊技場内に供給する酸素を製造する酸素製造装置と、遊技場内遊技機の近傍のタバコの喫煙を検出する炎センサと、炎センサが炎を検出したとき、検出した箇所の近傍に酸素を供給する環境装置も提案されている（特許文献１）。
検索条件：
使用データベース：特許電子図書館（特許庁）
使用検索メニュー：特許実用新案公報テキスト検索
検索条件：要約＋請求の範囲＝（遊技場＋パチンコ台＋パチンコ店）＊（酸素＋Ｏ２）＊（供給＋送風＋送出＋排気＋排出＋給気）
対象公報：特許公開公報、特許公報、実用新案公開公報、実用新案公報
検索日：平成１８年５月９日
【０００４】
【特許文献１】特開２００４−１２１５５０「遊技場の環境装置」
【発明の開示】
【発明が解決しようとする課題】
【０００５】
しかし、上記の如く空気の清浄化は可能になったとしても、遊技場内等においては、大量の機器、利用する多数の人の呼吸および喫煙等によって、酸素欠乏状態になりがちであるものと考えられる。したがって、かかる空間内において、自然界の酸素濃度環境、あるいは利用する人間にとって好ましい酸素濃度状態を提供することのできる技術は、大いに要望されるところである。
【０００６】
本発明が解決しようとする課題は、上記従来技術の問題点を除き、遊技施設その他多数の人が集合、存在することによって酸素濃度の低下しがちな空間において、適切な濃度の酸素状態を提供することのできる、酸素富化空気送風システムおよび酸素富化空気供給方法を提供することである。
【課題を解決するための手段】
【０００７】
本願発明者は上記課題について検討した結果、酸素供給装置により製造した高濃度酸素を効果的に搬送するシステムを構成することによって上記課題の解決が可能であることを見出し、本発明に至った。すなわち、上記課題を解決するための手段として本願で特許請求される発明、もしくは少なくとも開示される発明は、以下の通りである。
（１）  酸素供給装置と、該酸素供給装置にて製造された高濃度酸素を搬送するための配管と、該配管に接続された複数の送風端末装置とを備えてなる、酸素富化空気送風システム。ここで、複数の該送風端末装置は共通仕様のものとしてもよい。
（２）  前記送風端末装置からは酸素濃度２５％以上の酸素富化空気を排出可能であるように構成されていることを特徴とする、（１）に記載の酸素富化空気送風システム。
（３）  前記配管の構成は、１系統または２系統以上の主配管を有してなり、各主配管には１台以上の前記送風端末装置が接続されていることを特徴とする、（１）または（２）に記載の酸素富化空気送風システム。
（４）  前記配管の構成は、４系統以上の主配管を有してなり、各主配管には３台以上の前記送風端末装置が接続されていることを特徴とする、（１）または（２）に記載の酸素富化空気送風システム。
（５）  前記酸素供給装置からの高濃度酸素供給は、前記各系統単位で供給切替制御可能であることを特徴とする、（３）または（４）に記載の酸素富化空気送風システム。
（６）  前記供給切替制御は、前記複数系統の主配管に対して順番に、高濃度酸素の供給を所定時間行う制御であることを特徴とする、（５）に記載の酸素富化空気送風システム。
【０００８】
（７）  前記酸素供給装置−送風端末装置間には、高濃度酸素供給圧力増幅のための加圧装置が設けられていることを特徴とする、（１）ないし（６）のいずれかに記載の酸素富化空気送風システム。
（８）  前記加圧装置は、前記酸素供給装置から供給される高濃度酸素に周辺空気を混合する空気混合機能を兼ね備えることを特徴とする、（７）に記載の酸素富化空気送風システム。
（９）  前記酸素供給装置から供給される高濃度酸素と、前記加圧装置により取り入れられる混合用空気との混合比を調節して前記送風端末装置において排出される酸素富化空気の酸素濃度を制御するための酸素濃度制御装置が設けられていることを特徴とする、（８）に記載の酸素富化空気送風システム。
（１０）  前記配管は、ワンタッチ式の継ぎ手を用いることによって配管構成の分岐、延長その他の配管構成変更が自在であることを特徴とする、（１）ないし（９）のいずれかに記載の酸素富化空気送風システム。
（１１）  前記送風端末装置は、周辺空気を取り入れるための吸気口を備え、これにより取り入れられた空気が、排出される酸素富化空気と周辺空気との間のバリア気流として排出可能であるように形成されていることを特徴とする、（１）ないし（１０）のいずれかに記載の酸素富化空気送風システム。
【０００９】
（１２）  前記送風端末装置には排気風量を調節するための風量調節手段が設けられていることを特徴とする、（１）ないし（１１）のいずれかに記載の酸素富化空気送風システム。
（１３）  前記送風端末装置から排出される酸素富化空気の酸素濃度または酸素富化空気が排出される空間の所定位置における酸素濃度を表示する表示部が設けられていることを特徴とする、（１）ないし（１２）のいずれかに記載の酸素富化空気送風システム。
（１４）  前記送風端末装置は、本システム利用空間の所望の位置において設置位置変更可能なサイズおよびその他の仕様にて形成されていることを特徴とする、（１）ないし（１３）のいずれかに記載の酸素富化空気送風システム。
（１５）  前記送風端末装置を本システム利用空間の所望の位置に移動、設置可能なように、該送風端末装置が直接接続される端末配管は可撓性であることを特徴とする、（１４）に記載の酸素富化空気送風システム。
（１６）  前記端末配管と前記送風端末装置とは一体にもしくは一体化可能に形成され、該端末配管は必要な場合に、高濃度酸素供給上流側の前記配管に接続可能な構成であることを特徴とする、（１４）または（１５）に記載の酸素富化空気送風システム。
（１７）  前記端末配管が直接接続される高濃度酸素供給上流側の前記配管端部にはワンタッチ式の継ぎ手が設けられ、該継ぎ手は、該端末配管の差込み時以外は閉止することのできるストップ弁内蔵型のものであることを特徴とする、（１６）に記載の酸素富化空気送風システム。
【００１０】
（１８）  前記送風端末装置は、遊技場にてパチンコ台の島に後付けした場合においてパチンコ台利用者の頭部方向に対して送風可能なように形成されていることを特徴とする、（１）ないし（１７）のいずれかに記載の酸素富化空気送風システム。
（１９）  前記送風端末装置は、遊技場において２台のパチンコ台間に嵌め込んで設置可能なようにその筐体が巾５０ｍｍ以下に形成されていることを特徴とする、（１）ないし（１７）のいずれかに記載の酸素富化空気送風システム。
（２０）  前記送風端末装置は、遊技場において２台のパチンコ台の前面パネル間に後付け設置可能かつ遊技の障害とならない程度のサイズにて形成されていることを特徴とする、（１）ないし（１７）のいずれかに記載の酸素富化空気送風システム。
（２１）  酸素供給装置にて製造された高濃度酸素を、配管を介してこれに接続された複数の送風端末装置に供給する方法であって、１系統当たり該送風端末装置が１台以上接続されている複数系統の主配管に対して順番に、高濃度酸素の供給を所定時間行うように制御することを特徴とする、酸素富化空気供給方法。ここで、複数の該送風端末装置は共通仕様のものとしてもよい。
【発明の効果】
【００１１】
本発明の酸素富化空気送風システムおよび酸素富化空気供給方法は上述のように構成されるため、これによれば、パチンコ店等の遊技施設その他多数の人が集合、存在したり、あるいはそれに加えて喫煙がなされることにより酸素濃度の低下しがちな空間を、適切な濃度の酸素状態に維持することができる。酸素濃度の制御は、自然界の酸素濃度と同等なものとするなど、遊技場等の空間にいる人間にとって好ましい酸素濃度状態を提供することができる。
【発明を実施するための最良の形態】
【００１２】
以下、図面も用いつつ、本発明についてより詳細に説明する。各図中において、複数の同じ構成要素に対する符号付けは省略する場合がある。
図１は、本発明の酸素富化空気送風システムの基本的構成を示す概念図である。図示するように本システム１は、酸素供給装置２と、酸素供給装置２にて製造された高濃度酸素を通して送るための配管４と、配管４に接続された複数の共通仕様の送風端末装置３とを備えてなることを、基本的な構成とする。複数の該送風端末装置３は共通仕様のものとしてもよい。以下の説明では、複数の送風端末装置は共通仕様とする例を主として説明する。
【００１３】
かかる構成により本酸素富化空気送風システム１では、酸素供給装置２において高濃度酸素が製造されて、該高濃度酸素は配管４を介して複数の共通仕様の送風端末装置３に対して送られ、各送風端末装置３からは高濃度酸素またはこれを含む空気、すなわち酸素富化空気が外部に対して排出され、対象空間に対して酸素が補給される。
【００１４】
本システム１に係る送風端末装置３は、その必須機能は酸素富化空気を排出することであり、共通仕様のものが複数設けられる。なお上述の通り、共通しようとすることに本発明が限定されるものではない。設置数は限定されず、本システム１の用途に応じて設定することができる。また、後述するが配管４を延長・分岐可能な構造とすることにより、必要に応じて設置端末装置数を増減することも可能である。かかる構成により、酸素富化空気を送出するポイントを必要に応じて設定することができ、限定された対象空間に対して個別に酸素補給を行うことができる。いわばパーソナル空間に対する個別的な酸素富化空気提供も可能となる。
【００１５】
ここで、本システム１に係る酸素供給装置２としては、従来のものを適宜用いることができる。たとえばＰＳＡ式と呼ばれる高濃度酸素製造方式は、好適に用いることができる。なおＰＳＡ方式は、吸着式（吸着型）とも呼ばれるが、シリンダー内に窒素を吸着する機能のある特殊なゼオライトを入れてなるモレキュラーシーブを使い、加圧と減圧を繰り返すことにより、空気中の酸素と窒素を分離する方式（Ｐｒｅｓｓｕｒｅ  Ｓｗｉｎｇ  Ａｄｓｏｒｐｔｉｏｎ  略称ＰＳＡ）である。つまり、空気をゼオライトに加圧供給させることにより窒素をゼオライトに吸着させて、高濃度酸素を取り出す原理によるものである。当該方式によれば、酸素９７％程度まで濃縮が可能である。また、室温が高いほど得られる酸素濃度は低くなる。
【００１６】
また、当然ながら酸素供給装置２は、１台当たりで、充分な酸素濃度の酸素富化空気を、複数台の送風端末装置３に対して送り込み、これを外部に対して供給できる性能を備えたものであることが必要である。たとえば本システムをパチンコ店においてパチンコ台（島）に適用する場合であれば、５台以上の送風端末装置３を介して充分な酸素富化空気を排出できるものであることが、望ましい。
【００１７】
また、本発明システム１に係る送風端末装置３の必須機能は、酸素供給装置２において製造され、送出され、配管４を介して搬送された高濃度酸素を外部に排出する機能である。これに、後述するようなバリア空気の排出機能など、別の機能を付加することもできる。さらに、送風端末装置３はその形状・構造にも限定されない。つまり、後に詳述するように、パチンコ台間の隙間に据え置く形で設置するのに適した薄型の形状としたり、設置場所を自在に変更できるように携帯便利なサイズや形状・構造とする等、種々の仕様をとることができる。
【００１８】
本システム１に係る配管４としては、酸素富化空気を流通させることができるものである限り、その材質、仕様とも適宜のものを用いることができる。たとえば合成ゴムや合成樹脂製のホースを用いることもできるが、これに限定されない。
【００１９】
本システム１は、送風端末装置３からは酸素濃度２５％以上の酸素富化空気を排出可能なものとして構成することができる。通常、大気における酸素濃度は２１％程度であるが、酸素濃度２５％以上の酸素富化空気を排出できれば、閉鎖空間内の多数の人による呼吸や喫煙等によって酸素濃度が低下した環境、ないしは低下しがちな環境において、提供される酸素富化空気によって酸素濃度を良好なレベルに改善することは、充分に可能である。
【００２０】
上述のＰＳＡ式の高濃度酸素供給（酸素濃縮）方式によれば、その仕様によっては医療用途にも充分な９７％程度もの濃縮も可能であるが、一般的な製品であっても、酸素濃度８７％から９５％程度もの高濃度酸素製造が可能である。また、酸素濃度を４０％程度に抑えた製品もある。いずれにせよ本発明システムには、送風端末装置からは製造された高濃度酸素をそのまま排出する方式も、また一方、後述するように周囲空気による希釈を適宜行って排出する方式も含まれる。
【００２１】
なお、特に適度な酸素濃度に制御するための方法として、たとえば、酸素供給装置自体で所定酸素濃度（約４５％）を製造してそのまま酸素富化空気として供給すること、または高濃度酸素（約９０％）を製造して、これと近傍の空気とを混合して、約４５％など、所定の濃度の酸素富化空気として供給すること、が挙げられる。
【００２２】
図１Ｂは、本発明の酸素富化空気送風システムの別の基本的構成を示す概念図である。図示するように本システム１ｂは、酸素供給装置２ｂと、酸素供給装置２ｂにて製造された高濃度酸素を搬送するための配管４ｂと、配管４ｂに接続された複数の共通仕様の送風端末装置３ｂとを備えてなり、該配管４ｂの構成は、１系統または２系統以上の主配管４１ｂを有してなるものであり、各主配管４１ｂには１台以上の送風端末装置３ｂが接続されている構成を、基本とする。１系統以上の各主配管４１ｂには、ここから分岐して副配管４２ｂが連設され、その後流方向末端に各送風端末装置３ｂが接続される。
【００２３】
かかる構成により本システム１ｂでは、酸素供給装置２ｂと、酸素供給装置２ｂにて製造された高濃度酸素は、配管４ｂを構成する１系統以上の主配管４１ｂから分岐して連設された各副配管４２ｂ中を通して、各送風端末装置３ｂに送られ、該送風端末装置３ｂから外部に対して高濃度酸素またはこれを含む空気、すなわち酸素富化空気が外部に対して排出され、対象空間に対して酸素が補給される。
【００２４】
図示するように、配管４ｂ構成を２系統以上とすることによって、より広範に酸素富化空気の供給が可能となる。これは、後述例示するパチンコ店等の遊技施設における各島への設置においてはもちろんのこと、人の大勢集まる閉鎖空間における広い領域での酸素補給を行う場合には、特に有効である。
【００２５】
図２は、本発明酸素富化空気送風システムの例について、配管構成を主として示した平面視の説明図である。図示するように本システム２１では、前記配管２４の構成を、４系統以上の主配管２４１を有してなるものとすることができる。また、かかる構成に加えて、図示するように各主配管２４１には３台以上の前記送風端末装置２３が接続された構成とすることができる。図の例では、主配管２４１を４本設けて４系統とし、各系統にはそれぞれ、送風端末装置２３を５台ずつ接続可能なように副配管２４２を設けた構成としている。
【００２６】
このように、１系統あたり３台以上の送風端末装置２３を接続可能な４系統の配管構成とすることは、たとえばパチンコ台の島ごとに本システムを適用する場合などには特に好都合である。つまり、図２に例示するように島の中央部に本システム２１の酸素供給装置２２を設置し、ここから左右・裏表用にそれぞれ計４系統の主配管２４１を配設する構成によって、複数のパチンコ台が長い距離に亘って、しかも裏表両側において設けられるパチンコ台の島という広い範囲において、酸素富化空気ＯＡを、複数の小空間ごとに効果的に供給することが可能となる。
【００２７】
図示するように本システム２１には、酸素供給装置２２からの高濃度酸素そのままの場合のものを含む酸素富化空気ＯＡの供給を、各系統２４１単位で供給切替制御可能とするための系統切替弁２５を設けるものとすることができる。図は４系統で１系統当たり５台の送風端末装置にて構成する例であり、系統切替弁２５は各主配管２４１ごとにその前流側つまり酸素供給装置２２側の根元部に設けられている。
【００２８】
かかる構成により、系統切替弁２５の開閉を作用させることによって、主配管２４１への酸素富化空気送り込みを断続して、該空気が送り込まれる系統を適宜切替えることができる。つまり、酸素富化空気の供給を一律全般的に行うのではなく、限定された領域・空間ごとに、間欠的に、限定された時間もしくは所定時間をもって行う制御が可能となる。
【００２９】
特に、かかる方法による供給切替制御を、複数系統の主配管２４１に対して順次に行い、高濃度酸素の供給を所定時間間隔で行う、いわば間欠制御を採ることによって、本システム２１の基本的構成要素の一つであるところの酸素供給装置２２の必要能力（供給量／酸素濃度／供給圧力）を低減することができ、つまり該装置２２の小型化、軽量化、低コスト化を図ることができる。これにより、酸素補給対象空間に対しては、常時酸素富化空気が供給されるのではなく、所定の時間のみ供給され、その余の時間は供給がなされないことになるが、一般に人間は酸素濃度３０％程度を１０分〜１５分吸引すれば爽快感が充分に実感されるものであり、酸素富化空気の吸引時間が１回／６０分程度であっても、充分にその効果の持続感が得られるといわれていることから、本発明システムの目的とする酸素富化空気の供給機能上、何ら問題はない。
【００３０】
つまり本システム２１により、酸素供給装置２２にて製造された高濃度酸素もしくは酸素富化空気を、配管２４を介してこれに接続された複数の共通仕様の送風端末装置２３に供給するにあたって、１系統当たり送風端末装置が１台以上接続されている複数系統の主配管２４１に対して、順番に、高濃度酸素の供給を所定時間行うように制御して、供給することができる。
【００３１】
図３は、本発明酸素富化空気送風システムの別の構成例について、その要部を示す斜視の説明図である。図示するように本システム３１においては、酸素供給装置３２−送風端末装置（図示せず）間に、高濃度酸素供給圧力増幅のための加圧装置３６を設けた構成とすることができる。かかる構成により、複数の送風端末装置に対しての、あるいは複数系統を介してそれらに接続される複数の送風端末装置に対しての酸素富化空気の搬送のための供給圧力を増強し、かかる酸素富化空気の充分な送り込みを行わせることができる。
【００３２】
図において加圧装置３６は、酸素供給装置３２から供給される高濃度酸素に周辺空気を混合用空気ＭＡとして混合する空気混合機能を兼ね備えたものとすることができる。加圧装置３６としては具体的には、空気圧縮装置（エア・コンプレッサー）を用いることができる。かかる構成により、酸素供給装置３２において製造される高濃度酸素を、加圧装置３６あるいは酸素供給装置３２周辺の空気を混合用空気ＭＡとして、これと混合させ、高濃度酸素を希釈した酸素富化空気を得ることができ、酸素富化空気の最終酸素濃度を調節することができる。
【００３３】
酸素富化空気の最終酸素濃度調節のため、本システム３１においては、酸素供給装置３２から供給される高濃度酸素と、加圧装置３６により取り入れられる混合用空気との混合比を調節して送風端末装置（図示せず）において排出される酸素富化空気の酸素濃度を制御するための酸素濃度制御装置（図示せず）を付設する構成とすることができる。
【００３４】
また、供給される酸素富化空気における酸素濃度の他、その容量を容易に調節可能な機能を備える構成としてもよい。この場合、具体的には、複数台の送風端末装置への供給量をほぼ均一にするため、送風端末装置に、たとえば風量絞り弁を設けることもできる。
【００３５】
図４は、本発明酸素富化空気送風システムにおける配管構成例を示す説明図である。図示するように本システムの配管には、管相互の着脱や配管を容易に行うことのできるワンタッチ式の継ぎ手（ワンタッチ継ぎ手）４４３を用いるものとすることができる。これによって、２本の主配管４４１相互間の結合・分離、主配管４４１と副配管４４２との間の結合・分離を容易に行うことができ、配管構成の分岐、延長その他の配管構成変更を自在に行うことができる。
【００３６】
図５は、吸気口付きの送風端末装置を備えた本発明酸素富化空気送風システムの構成例を示す説明図である。図示するように本システム５１は、その送風端末装置５３が、周辺空気ＲＡを取り入れるための吸気口５３１を備え、これにより取り入れられた空気ＲＡが、排気口５３２から排出される酸素富化空気ＯＡと周辺空気との間を遮蔽可能なバリア気流ＶＡとして、排気口５３３から排出可能であるように形成された構成とすることができる。
【００３７】
空気ＲＡの取り入れは、送風端末装置５３内にファンを設けることで容易に行うことができる。また、取り入れた周辺空気ＲＡを、いわばエアカーテン効果のあるバリア気流ＶＡとして排出するために、たとえば、周辺空気ＲＡを取り込んでこれを排出するためのファンは、その排気流速を大きく設定したり、またバリア気流ＶＡを極力層流にて排気できるように排気口５３３の形状をリブ形状にする等の構成をとることができる。
【００３８】
かかる構成により、周辺空気ＲＡは吸気口５３１から送風端末装置５３内に取り入れられ、装置５３内を通って、バリア気流ＶＡとして排気口５３３から排出される。一方、排気口５３２からは酸素富化空気ＯＡが排出されるが、酸素富化空気ＯＡと周辺空気との間はバリア気流ＶＡによって、エアカーテンの効果が発揮されて、遮蔽される。したがって酸素富化空気ＯＡは、その周囲への拡散と希釈化が抑制され、限定された対象空間に充分な酸素濃度の富化空気を供給することができる。バリア気流ＶＡは、周辺空気ＲＡが送風端末装置５３内に取り入れられて再度排気されるものであり、敢えて、光触媒等を用いて清浄化処理されたり、あるいはまた酸素富化処理がなされたりする構成とする必要はなく、通常の空気であっても、エアカーテン効果・機能発揮には充分である。
【００３９】
つまり、バリア気流ＶＡのエアカーテン効果により、本システムでは送風される酸素富化空気が極力拡散しないようになされる。また本システムをたとえばパチンコ店などの遊技場にて用いる場合、パチンコ台など各遊技機ごとに送風端末装置を設置することにより、各利用者単位でエアーカーテン効果を得ることができ、これにより隣接する利用者によるタバコ煙等の流入をも効果的に防止することができる。
【００４０】
なお、図では排気口は酸素富化空気ＯＡ排出用の吸気口５３２とバリア気流ＶＡ排出用の吸気口５３３とを分けて設けた構成であるが、これは共用のものとすることも可能である。この場合でも、風速の違いによって、酸素富化空気ＯＡとバリア気流ＶＡとの混合の発生を抑制して、効果的に酸素富化空気を供給することができる。
【００４１】
また、バリア気流形成のための構成を採らない場合でも、酸素富化空気自体の風速を強めたり、排気口形状を層流形成に適した形状にすることによって、送風される酸素富化空気の拡散防止を図ることができ、また一定のエアカーテン効果を得ることもできる。
【００４２】
さらにまた、酸素富化空気の供給に加えて、取り入れた周辺空気ＲＡを光触媒その他の空気浄化機能によって浄化して排出するために、送風端末装置５３内部に空気浄化手段を設けた構成とすることもできる。
【００４３】
図の例では、吸気口５３１、排気口５３２等ともに２箇所ずつ設けられ、そのうち排気口については機能分担がなされ（５３２、５３３）、また加圧装置５６が設けられ、そして送風端末装置５３は縦長薄型の形状であるが、本システム５１は、吸気口の数や配設位置、排気口の数、位置さらには機能分担の有無、加圧装置の有無、また送風端末装置の形状等によって限定されるものではない。
【００４４】
本発明の酸素富化空気送風システムにおいて、送風端末装置には、酸素富化空気の排気風量、あるいはこれに加えてバリア気流の風速を調節するための風量調節手段（図示せず）を設けることもできる。
【００４５】
図６は、表示部を備えた本発明酸素富化空気送風システムをパチンコ台の島に適用した場合の使用例を示す説明図である。また図中の円内は送風端末装置の拡大図である。図中、「酸素発生端末ユニット」とあるのは送風端末装置、「酸素濃度インジケータ」とあるのは表示部の例である。また、図中の配管６４、主配管６４１、副配管６４２は、少なくともパチンコ台島６Ｑにおいてはその内部に設けられる。図に例示されるように本システム６１は、送風端末装置６３から排出される酸素富化空気の酸素濃度を表示する表示部６７を設けた構成とすることができる。あるいはまたかかる表示部は、酸素富化空気が排出される空間の所定位置における酸素濃度を示すものとして構成してもよい。ここで所定位置とは、酸素富化空気の排気口近傍など、酸素濃度の管理が有意義である適宜の位置である。酸素濃度表示部設置の前提として、適宜の構成による酸素濃度測定手段が設けられることは、いうまでもない。
【００４６】
図６では、表示部６７はパチンコ台島中央上部に設けた例を示すが、表示部の位置はこれに限定されるものではないが、複数の利用者から視認できる配置として、好ましい例である。
【００４７】
図７中、円内の拡大図にも示される通り、ここに例示されている送風端末装置６３は、パチンコ台間に簡単に装着できるサイズ・仕様、および設置位置変更が容易な仕様のものとして構成された例である。本送風端末装置６３は排気口のみ設けられ、図５のような吸気口は設けられない構成である。
【００４８】
図には、「水泡で酸素発生をイメージさせる」構成や酸素濃度インジケータを備えた構成が記載されており、本送風端末装置６３はこれらを任意備えたものとすることができる。前者は、供給される酸素富化空気が、酸素欠乏気味になる可能性のある周辺空気と比較して酸素を適度に高い濃度で含んでいるものであることを、利用者に対して明確に視覚にて認識させるためになされるものである。つまり、たとえば、水中において気泡が多く発生しているように見えるヴァーチャル・リアリティーを利用した表示、電気的表示、その他の表示を構成して装置６３に組み込むことにより、かかる機能を備えることができる。
【００４９】
また後者「酸素濃度インジケータ」は、前述の表示部と同一機能である。図６の例のように各送風端末装置６３ごとにこれを設けることにより、利用者はより容易に、提供される酸素濃度表示を見て、酸素富化空気の供給状況を知ることができる。
【００５０】
図６に示した例の他、図７を用いて後述する例も同様の特徴を備えたものであるが、送風端末装置の形状・仕様は全く異なる。このように、送風端末装置の具体的な仕様は、本システム用途・設置対象場所・使用方法等に応じて自在に設計可能であり、具体的仕様によって本発明が限定されるものではない。
【００５１】
図６に示したようなコンパクトな仕様の送風端末装置６３は、たとえば既存設置の空気清浄装置などへ後付けするようにすることも可能である。たとえばパチンコ台間に設置可能な薄型形状の空気清浄装置の前面パネル部に、本システムの送風端末装置６３を取り付ける構成である。
【００５２】
図７は、設置位置変更可能なサイズおよび仕様にて形成された送風端末装置を備えた本発明酸素富化空気送風システムの構成例を示す説明図である。図示するように本システム８１は、送風端末装置８３を本システム利用空間の所望の位置において設置位置変更可能なサイズおよび仕様にて形成した一例である。図において各送風端末装置８３は排気口が最大に拡径したロート形状をしているが、本発明がかかる形状に限定されるものではない。
【００５３】
図の例では、配管８１を構成する主配管８４１相互の接続や分離、また主配管４４１と副配管８４２間の接続や分離は、図４により先に説明したワンタッチ式の継ぎ手（ワンタッチ継ぎ手）４４３によってなされる構成であるが、本発明はこれに限定されるものではない。
【００５４】
図８は、設置位置変更可能なサイズおよび仕様にて形成された送風端末装置を備えた本発明酸素富化空気送風システムの別の構成例を示す説明図である。図に示すように本発明酸素富化空気送風システム９１は、送風端末装置９３を本システム９１利用空間の所望の位置に移動したり、設置したりすることが可能なように、送風端末装置９３が直接接続される端末配管９３２は可撓性のものとすることを、特徴的な構成とする。可撓性の端末配管９３２は、可撓性の適宜の材料、たとえば柔軟性を備えた各種合成樹脂やゴム、あるいは金属製など剛性の材料であっても蛇腹様の構造などを用いることによって、構成することができる。
【００５５】
かかる構成により本システム９１では、送風端末装置９３が直接接続される端末配管９３２が可撓性であるため、送風端末装置９３は端末配管９３２の長さの範囲で自由自在に所望の位置に移動させたり、排気口の向きも設定自在に当該位置にて設置することができる。したがって、酸素富化空気の供給を得たい空間を自由自在に選択できるため、利用者にとっては一層便宜である。
【００５６】
また、図示するように端末配管９３２と送風端末装置９３とは一体に形成されるか、もしくは一体化可能な構成をとることができる。そして、該端末配管９３２は必要な場合に、高濃度酸素供給上流側の副配管９４２に接続可能な構成とすることにより、送風端末装置９３と端末配管９３２の結合体を副配管９４２に対して接続し、主配管９４１を介して酸素供給装置９２方向からの酸素富化空気の送り込みを得ることができる。
【００５７】
また、図において、端末配管９３が直接接続される高濃度酸素供給上流側の副配管９４２端部には、ワンタッチ式の継ぎ手９４８を設けることとし、該継ぎ手９４８としては、端末配管９３２の差込み時以外は閉止することのできるストップ弁内蔵型のものを用いればよい。かかる構成により、不要な場合の酸素富化空気の排出を遮断し、必要な時にのみ送風端末装置９３と端末配管９３２の結合体、もしくは端末配管９３２をワンタッチ継ぎ手９４８に差し込んで、酸素富化空気を排出可能とすることができ、製造された高濃度酸素の無駄な消費を防止することができる。
【００５８】
図９は、本発明酸素富化空気送風システムをパチンコ台島に適用した場合の別の使用例を示す説明図である。図に例示するように本システム１０１では、送風端末装置１０３は、遊技場にてパチンコ台１０Ｐの島１０Ｑに後付けした場合において、パチンコ台利用者の頭部方向に対して送風可能なように形成され、あるいは設置される。このようにすることにより、酸素富化空気を利用者の頭部（特に口や鼻）付近に向けて送風することができ、効果的な酸素富化空気供給を実現することができる。このように、送風端末装置の設置位置も自在に設定することができる。
【００５９】
前掲図５に示したように、本システムの送風端末装置は、遊技場において２台のパチンコ台間に嵌め込んで着脱自在に設置可能なように、その筐体のサイズや形状を規定することができる。パチンコ台では通常、台間に５０ｍｍ程度のスペースが設けられるため、たとえば筐体のサイズを巾５０ｍｍ以下とし、その形状を薄型の板状に形成すれば、この空間に容易にかつ適合させて設置可能である。
【００６０】
前掲図６に示したように、送風端末装置は、遊技場において２台のパチンコ台の前面パネル間に後付け設置可能かつ遊技の障害とならない程度のサイズにて形成してもよい。いずれにせよ、本システムをパチンコ台島に適用した場合、送風端末装置は以上述べたようにその設置位置を、送風端末装置の仕様等にも合わせて、自由自在に設定することができる。
【００６１】
図１０は、本発明システムに係る酸素供給装置の構成例を示す説明図である。図示するように、酸素供給装置１１２を、たとえば簡易には木製のものなど、吸音効果のある筐体１１８に収納するものとしてもよい。これにより低騒音化を図ることができる。
【００６２】
また、酸素供給装置１１２に取り込む空気は、極力清浄された空気であることが、装置の長寿命化のためにも望ましい。そこで、筐体１１８の空気取り入れ口には、プレフィルター１１Ｅ、除塵フィルター１１Ｆを装着し、これを定期交換することによって、酸素供給装置１１２のメンテナンスサイクルを長期化することができる。
【産業上の利用可能性】
【００６３】
本発明の酸素富化空気送風システムおよび酸素富化空気供給方法によれば、パチンコ店等の遊技施設その他多数の人が集合、存在したり、あるいはそれに加えて喫煙がなされることにより酸素濃度の低下しがちな空間を、適切な濃度の酸素状態に維持することができる。しかも、遊技施設、コールセンター、電話交換室、学校、学習塾、フィットネス施設、リラクゼーション施設など、用途に応じてそれに適し酸素富化空気送風システムを構築することができる。したがって、特に環境浄化装置分野、娯楽産業分野を初めとした多くの分野において、利用価値が高い発明である。
【図面の簡単な説明】
【００６４】
【図１】本発明の酸素富化空気送風システムの基本的構成を示す概念図である。
【図１Ｂ】本発明の酸素富化空気送風システムの別の基本的構成を示す概念図である。
【図２】本発明酸素富化空気送風システムの例について、配管構成を主として示した平面視の説明図である。
【図３】本発明酸素富化空気送風システムの別の構成例について、その要部を示す斜視の説明図である。
【図４】本発明酸素富化空気送風システムにおける配管構成例を示す説明図である。
【図５】吸気口付きの送風端末装置を備えた本発明酸素富化空気送風システムの構成例を示す説明図である。
【図６】表示部を備えた本発明酸素富化空気送風システムをパチンコ台の島に適用した場合の使用例を示す説明図である。また図中の円内に示すものは送風端末装置の拡大図である。
【図７】設置位置変更可能なサイズおよび仕様にて形成された送風端末装置を備えた本発明酸素富化空気送風システムの構成例を示す説明図である。
【図８】設置位置変更可能なサイズおよび仕様にて形成された送風端末装置を備えた本発明酸素富化空気送風システムの別の構成例を示す説明図である。
【図９】本発明酸素富化空気送風システムをパチンコ台島に適用した場合の別の使用例を示す説明図である。
【図１０】本発明システムに係る酸素供給装置の構成例を示す説明図である。
【符号の説明】
【００６５】
１、１ｂ、２１、３１、５１、６１、８１、９１、１０１…酸素富化空気送風システム
２、２ｂ、２２、３２、５２、６２、８２、９２…酸素供給装置
３、３ｂ、２３、５３、６３、８３、９３、１０３…送風端末装置
５３１…吸気口
５３２、５３３…排気口
９３２…端末配管
４、４ｂ、２４、３４、５４、８４、９４、１０４…配管
４１ｂ、２４１、３４１、４４１、５４１、６４１、８４１、９４１…主配管
４２ｂ、２４２、３４２、４４２、５４２、６４２、８４２、９４２…副配管
３４０、５４０、６４０…加圧装置設置時用配管
４４３、８４３、９４５…ワンタッチ継ぎ手
９４８…継ぎ手
２５、８５、９５…系統切替弁
３６、５、６６…加圧装置
６７…表示部
６Ｐ、１０Ｐ…パチンコ台
６Ｑ、１０Ｑ…パチンコ台の島
ＭＡ…混合用空気
ＯＡ…酸素富化空気
ＲＡ…周辺空気
ＶＡ…バリア気流
１１２…酸素供給装置
１１４…配管
１１５…発生弁
１１８…筐体
１１９…制御部
１１Ｅ…プレフィルター
１１Ｆ…除塵フィルター
【図１】
2007307101.tif 000003
【図１Ｂ】
2007307101.tif 000004
【図２】
2007307101.tif 000005
【図３】
2007307101.tif 000006
【図４】
2007307101.tif 000007
【図５】
2007307101.tif 000008
【図６】
2007307101.tif 000009
【図７】
2007307101.tif 000010
【図８】
2007307101.tif 000011
【図９】
2007307101.tif 000012
【図１０】
2007307101.tif 000013